(57)【特許請求の範囲】
【請求項１】
撮像素子と、該撮像素子によって光電変換された映像信号のフォーマットを変換する信号処理装置と、該フォーマット変換された映像信号を記録する記録媒体と、前記映像信号に対応する撮像画像を表示するファインダーと、を備える電子カメラにおいて、
前記信号処理装置にて前記撮像素子からの映像信号をフォーマット変換して記録媒体に記録する通常撮影モードと、
前記信号処理装置にて連続して一定時間毎に前記撮像素子からの映像信号の一部の領域を切取るとともに、該切取った映像信号をフォーマット変換して前記記録媒体にマルチ画像として記録するマルチ連写撮影モードと、を備え、
前記通常撮影モードから前記マルチ連写撮影モードに切替える際に、
前記ファインダーは、前記切替えに連動して前記映像信号から前記一部の領域を切取った映像信号に対応する撮影画像を表示することを特徴とする電子カメラ装置。
【請求項２】
前記切取った映像信号は、前記通常モードにおいて前記ファインダーに表示される撮影画像の中心領域に対応する映像信号であることを特徴とする請求項１に記載の電子カメラ。
【発明の詳細な説明】
【０００１】
【発明の属する技術分野】
本発明は、映像信号等の一枚の画像情報を複数枚用い、一枚の画面に連続させて表示又は記録媒体に記録するマルチ連写機能又はマルチ画面モードを備えた電子カメラ装置に関する。
【０００２】
【従来の技術】
図３は電子カメラ装置の一例を示した回路ブロック図である。図において、１はＣＣＤ等の撮像素子、２は信号処理装置、３は半導体メモリ等の記録媒体、４はシステムを制御するシステムコントローラ、５はローパスフィルタ（ＬＰＦ）、６は信号切り替えスイッチである。
【０００３】
図４は図３の電子カメラ装置において、１枚の画面に４枚の連続した画像を記録する（以降４画面マルチ連写と呼ぶ）場合の一例を示した図である。図において、７は撮像素子の１画素、８は撮像素子の画素のうち間引いて使用する画素である。
【０００４】
図５は図３の電子カメラ装置において、４画面マルチ連写の画像配列の一例を示した図である。電子カメラ装置において通常撮影を行う場合は、図３に示すように、撮像素子１によって光電変換された映像信号が、信号処理装置２によって記録媒体３に適合したフォーマットに変換され、記録媒体３に記録される。
【０００５】
電子カメラ装置において４画面マルチ連写を行う場合は、撮像素子１によって得られた映像信号が、図４に示すように、水平方向垂直方向ともに、１画素おきに間引かれ、１画面のデータが１／４になる。そして、信号処理装置２によって記録媒体３に適合したフォーマットに変換され、図５に示すように左上の位置Ａに記録される。次に一定時間後の画像に対して、同様の信号処理が行われ、右上の位置Ｂに記録される。以下同様にＣ、Ｄと記録されて１枚の４画面マルチ連写画像が完成する。
【０００６】
しかし、水平方向垂直方向ともに、画素を１／２に間引いているため、相対的にサンプリング周波数は１／２になるが、映像信号の空間周波数は元のままである。このままでは、サンプリング定理からも明らかなように、偽色等のノイズが発生してしまう。これを解消するために、図３に示すようにＬＰＦ５を通過した映像信号が、信号切り替えスイッチ６によって選択され、信号処理装置２によって記録媒体３に適合したフォーマットに変換され、記録媒体３に記録される。
【０００７】
【発明が解決しようとする課題】
しかしながら従来の技術においては、ＬＰＦを水平方向並びに垂直方向にかけるために、ハードウェアでＬＰＦを実行する場合はコストが増大し、ソフトウェアでＬＰＦを実行する場合は処理時間が増大してしまうという問題があった。
【０００８】
【課題を解決するための手段】
本発明は、従来技術のこれらの問題点を解決することを目的とし、撮像素子と、該撮像素子によって光電変換された映像信号のフォーマットを変換する信号処理装置と、該フォーマット変換された映像信号を記録する記録媒体と、前記映像信号に対応する撮影画像を表示するファインダーと、を備える電子カメラにおいて、前記信号処理装置にて前記撮像素子からの映像信号をフォーマット変換して記録媒体に記録する通常撮影モードと、前記信号処理装置にて連続して一定時間毎に前記撮像素子からの映像信号の一部の領域を切取るとともに、該切取った映像信号をフォーマット変換して前記記録媒体にマルチ画像として記録するマルチ連写撮影モードと、を備え、前記通常撮影モードから前記マルチ連写撮影モードに切替える際に、前記ファインダーは、前記切替えに連動して前記映像信号から前記一部の領域を切取った映像信号に対応する撮影画像を表示することを特徴とする電子カメラ装置を提案する。
【０００９】
上述の構成により、画素の間引きを行うことなくマルチ画面を形成するため、偽色等のノイズの無い高画質なマルチ連写撮影が行える。
【００１０】
また、切取った映像信号は、通常モードにおいて前記ファインダーに表示される撮影画像の中心領域に対応する映像信号としても良い。つまり時間的に連続した画面をマルチ連写する場合に、動く物体の写真は画面中の中央部分を中心として撮影されることが多く、その中心の画像領域をマルチ連写に用いると、さらに的確な撮影範囲での高画質なマルチ連写が行える。
【００１１】
【発明の実施の形態】
以下図面を用いて本発明の実施例を説明する。
図１は本発明の実施例の回路ブロック図である。図において、１はＣＣＤ等の撮像素子、２は信号処理装置、３は半導体メモリ等の記録媒体、４はシステムを制御するシステムコントローラである。
【００１２】
図２は本発明の実施例の４画面マルチ連写を行う場合の画素取り込みを示す図である。図において、７は撮像素子の１画素、８は撮像素子の画素のうち使用する画素である。
【００１３】
次に、このような構成における動作について説明する。
電子カメラ装置において通常撮影を行う場合は、図１に示すように、撮像素子１によって光電変換された映像信号が、信号処理装置２によって記録媒体３に則したフォーマットに変換され、記録媒体３に記録される。
【００１４】
電子カメラ装置において４画面マルチ連写を行う場合は、撮像素子１によって得られた映像信号が、図２に示すように、１画面の中心部の１／４のデータ８が使用される。そして、そのデータ８が信号処理装置２で切り取られ、記録媒体３に適合したフォーマットに変換され、図５に示すように左上の位置Ａに記録される。次に、一定時間後の画像に対して同様の信号処理が行われ、右上の位置Ｂに記録される。以下同様にＣ、Ｄと記録されて１枚の４画面マルチ連写画像が完成する。
【００１５】
また、上述のように通常撮影時とマルチ連写撮影時では撮影される画角が異なるため、撮影者に画角を知らせる必要がある。例えば、ファインダーの画角を通常撮影とマルチ連写撮影とを切替え可能にし、その切替えに連動してマルチ連写撮影時の画角をファインダーに表示することが必要である。
【００１６】
液晶をファインダーとして用いる場合は、液晶表示エリアを通常撮影とマルチ連写撮影の切替えに連動して変更するか、又は、マルチ連写撮影時の画角を液晶に表示する等の工夫が必要である。
【００１７】
【発明の効果】
以上説明したように本発明の構成ならびに方法によれば、ＬＰＦをかけること無く、偽色等の無い高画質なマルチ連写撮影を実現できる。
また、ＬＰＦをかける必要が無いことから、回路構成を通常撮影時と同様にすることができ、簡略化できる。また、ソフトウェア処理による場合は、処理時間を短縮することができ、安価で簡便な電子カメラ装置となる。
【図面の簡単な説明】
【図１】本発明の実施例を示す電子カメラ装置の回路ブロック図である。
【図２】本発明の実施例を示す電子カメラ装置の画素取り込みを示す図である。
【図３】従来例として示した電子カメラ装置の回路ブロック図である。
【図４】従来例として示した電子カメラ装置の画素取り込みを示す図である。
【図５】従来例として示した電子カメラ装置の画像の配列を示す図である。
【符号の説明】
１  撮像素子
２  信号処理装置
３  記録媒体
４  システムコントローラ
５  ローパスフィルタ（ＬＰＦ）
６  信号切り替えスイッチ
７  撮像素子の１画素
８  撮像素子の画素のうち使用する画素
【図１】
0003774282.tif 000002
【図２】
0003774282.tif 000003
【図３】
0003774282.tif 000004
【図４】
0003774282.tif 000005
【図５】
0003774282.tif 000006